(57)【要約】【課題】貯留水の水面に封水として用いた水が吐き出されることにより生じる音を十分に消失することを可能とする。【解決手段】真空ポンプ１と、真空ポンプ１に封水を供給するための水が貯留された水槽２と、真空ポンプ１から封水として用いた水を吐き出すための吐出管３２とを備えるポンプ装置において、水槽２内において、貯留水側に開口し、吐出管３２から吐き出された水を貯留水の水面に落下させる容器４を設け、吐出管３２を容器４に対して吐出管３２から吐き出された水が容器４の内表面に沿って旋回する方向に接続したポンプ装置である。【選択図】  図１
2004183566.tif 000002
【特許請求の範囲】
【請求項１】
真空ポンプと、該真空ポンプに封水を供給するための水が貯留された水槽と、該真空ポンプから封水として用いた水を吐き出すための吐出管とを備えるポンプ装置において、
前記水槽内において、貯留水側に開口し、前記吐出管から吐き出された水を貯留水の水面に落下させる容器を設け、
前記吐出管を前記容器に対して吐出管から吐き出された水が容器の内表面に沿って旋回する方向に接続したことを特徴とするポンプ装置。
【請求項２】
前記容器は、前記水槽内の貯留水側にのみ開口していることを特徴とする請求項１に記載のポンプ装置。
【請求項３】
前記容器は、前記吐出管から吐き出された水に含まれるエアーを抜くためのエアー抜き孔を備えることを特徴とする請求項２に記載のポンプ装置。
【請求項４】
真空ポンプと、該真空ポンプに封水を供給するための水が貯留された水槽と、該真空ポンプから封水として用いた水を吐き出すための吐出管とを備えるポンプ装置において、
前記水槽に対して前記吐出管を水が該水槽の内表面に沿って旋回する方向に接続したことを特徴とするポンプ装置。
【請求項５】
前記水槽は、ほぼ密閉状態となっていることを特徴とする請求項４に記載のポンプ装置。
【請求項６】
前記水槽は、前記吐出管から吐き出された水に含まれるエアーを抜くためのエアー抜き孔を備えることを特徴とする請求項５に記載のポンプ装置。
【発明の詳細な説明】
【０００１】
【発明の属する技術分野】
本発明は、ウェルポイント工法等において地下水を排出する目的などに用いられるポンプ装置に関する。
【０００２】
【従来の技術】
例えばウェルポイント工法において用いられるポンプ装置として、ケーシング内で翼車を高速回転させて空気を吸引する真空ポンプと、水槽と、水槽から真空ポンプに封水を供給するための供給管と、真空ポンプから該水槽に封水として用いた水を吐き出すための吐出管とを備え、ケーシング内の封水を一定量に維持しながら翼車を高速回転させて真空ポンプに空気を吸引させるものが開示されている（例えば、非特許文献１参照）。
ここで、ケーシング内で一定量に維持される封水としては、水槽、給水管、ケーシング及び環水管を通じて循環する水が順送りに用いられ、これにより、ケーシング内の封水が一定の温度以下に維持される。すなわち、一定の温度以下に維持された水が真空ポンプに連続的に供給されることにより、ケーシング内の封水が一定の温度を超えないこととなり、これにより、真空ポンプの近傍に備える空冷式のモータ冷却装置が発揮するモータ冷却機能を妨げないこととなっている。
また、ケーシング内で封水が一定量に維持されるので、ケーシングと偏心した軸心をもつ翼車が高速回転することでケーシングと同心円の水流を形成する。すなわち、翼車と封水による水流との間に低圧及び高圧の空間が形成されることとなり、これらの部分にそれぞれ吸込口と吐出口を設けることにより、真空ポンプが発揮する空気吸引機能が確実かつ十分に得られることとなっている。そして、ケーシング内で封水として用いられた水は、多量のエアーを含んだ状態でケーシングから吐き出され、さらに吐出管により水槽に吐き出されるのである。
【０００３】
【非特許文献１】
日本ウェルポイント協会編，「ウェルポイント工法便覧」，理工図書出版，１９９３年３月１日，ｐ．１３
【０００４】
【発明が解決しようとする課題】
しかしながら、このようなポンプ装置では、吐出管から吐き出される水には多量のエアーを含むという特質があることに加えて、十分な放熱効果が得られるよう水槽がふたを常備していないものであることから、封水として用いた水が吐出管から貯留水の水面に吐き出されるときに生じる音が非常に大きくなってしまい、市街地や学校・病院の近くでの適用が困難となる。
【０００５】
そこで、本発明の課題は、貯留水の水面に封水として用いた水が吐き出されることにより生じる音を十分に消失できるポンプ装置を提供することにある。
【０００６】
【課題を解決するための手段】
上記課題を解決するため、本発明に係るポンプ装置は、真空ポンプと、真空ポンプに封水を供給するための水が貯留された水槽と、真空ポンプから封水として用いた水を吐き出すための吐出管とを備えるポンプ装置において、水槽内において、貯留水側に開口し、吐出管から吐き出された水を貯留水の水面に落下させる容器を設け、吐出管を容器に対して吐出管から吐き出された水が容器の内表面に沿って旋回する方向に接続したことを特徴としている。
【０００７】
このようなポンプ装置によれば、吐出管から吐き出される水を貯留水の水面に落下させるための容器及び容器に対して水が容器の内表面に沿って旋回するよう接続した吐出管を備えるので、吐出管を通じて容器内に取り込まれた水は容器の内表面に沿って旋回する旋回流となり、さらには貯留水の水面に対して斜め方向に吐き出されることとなり、貯留水の水面に封水として用いた水が吐き出されることにより生じる音を十分に消失できる。
したがって、市街地や学校・病院の近くでも確実に適用できることとなる。
【０００８】
このような技術的手段において、貯留水の水面に封水として用いた水が吐き出されることにより生じる音をより完全に消失させるようにする観点からすれば、容器は、水槽内の貯留水側にのみ開口していることが好ましい。
【０００９】
この場合において、吐出管から吐き出される水をエアーを含まない状態として貯留水の水面に落下させることとして、貯留水の水面に封水として用いた水が吐き出されることにより生じる音をより一層完全に消失させるようにする観点からすれば、容器は、吐出管から吐き出された水に含まれるエアーを抜くためのエアー抜き孔を備えることが好ましい。
【００１０】
一方、本発明に係る他のポンプ装置は、真空ポンプと、真空ポンプに封水を供給するための水が貯留された水槽と、真空ポンプから封水として用いた水を吐き出すための吐出管とを備えるポンプ装置において、水槽に対して吐出管を水が水槽の内表面に沿って旋回する方向に接続したことを特徴としている。
【００１１】
このようなポンプ装置によれば、水槽に対して水が水槽の内表面に沿って旋回するよう接続した吐出管を備えるので、吐出管を通じて水槽内に取り込まれた水は水槽の内表面に沿って旋回する旋回流となり、さらには貯留水の水面に対して斜め方向に吐き出されることとなり、貯留水の水面に封水として用いた水が吐き出されることにより生じる音を十分に消失できる。
したがって、市街地や学校・病院の近くでも確実に適用できることとなる。
【００１２】
このような技術的手段において、貯留水の水面に封水として用いた水が吐き出されることにより生じる音をより完全に消失させるようにする観点からすれば、水槽は、ほぼ密閉状態となっていることが好ましい。
【００１３】
この場合において、吐出管から吐き出される水をエアーを含まない状態として貯留水の水面に落下させることとして、貯留水の水面に封水として用いた水が吐き出されることにより生じる音をより一層完全に消失させるようにする観点からすれば、水槽は、吐出管から吐き出された水に含まれるエアーを抜くためのエアー抜き孔を備えることが好ましい。
【００１４】
【発明の実施の形態】
以下、添付図面に基づいて本発明の実施の形態を詳細に説明する。
【００１５】
◎実施の形態１
図１は本発明の実施の形態１に係るポンプ装置が適用されたウェルポイント工法の施工状況を示す断面図、図２は同ポンプ装置の全体構成を示す図（図２（ａ）は断面図、図２（ｂ）は平面図）である。
【００１６】
なお、これらの図において、符号８１は、後記する水槽としてのノッチタンクにおける貯留水を示している。
【００１７】
この実施の形態１において、ポンプ装置は、図１に示すように、ウェルポイント工法において、地盤中の地下水を排出することにより地盤における地下水位を低下させる目的に用いられる。
【００１８】
そして、このポンプ装置は、図１及び図２に示すように、水封式真空ポンプ１と、水槽たるノッチタンク２と、貯留水循環手段３と、容器たる円筒体４とを備えるものとして構成されている。
【００１９】
以下、これらの各構成要素についてさらに詳細に説明する。
【００２０】
（１）水封式真空ポンプ１
水封式真空ポンプ１は、図示しないが、翼車が収容されるケーシングを有するものであり、図１に示すように、後記するノッチタンク２に貯留される貯留水８１を封水として用いることにより、吸気管１ａを通じてセパレートタンク１０１内の空気を吸引する機能を果たすものとして構成されている。
【００２１】
すなわち、この水封式真空ポンプ１によれば、ケーシング内で封水を一定量に維持しながら翼車を高速回転させることでセパレートタンク１０１内の真空化を通じて吸込管１０２に対する十分な吸引力が付与されることとなり、併せて渦巻きポンプ１０３が連動することにより、排水管１０４を通じて地盤における地下水がノッチタンク２に排出されることとなっている。
【００２２】
（２）ノッチタンク２
ノッチタンク２は、図１及び図２に示すように、水封式真空ポンプ１の近傍に設けられるものであり、水封式真空ポンプ１に封水を供給するための水を貯留する機能を果たすものとして構成されている。
【００２３】
すなわち、このノッチタンク２によれば、後記する貯留水循環手段３を用いることにより、ノッチタンク２に貯留される貯留水８１がノッチタンク２とケーシングの間で循環することとなっている。
【００２４】
なお、貯留水８１は、ノッチタンク２において所定の温度に冷却されながら水封式真空ポンプ１に連続的に供給されることにより、水封式真空ポンプ１の近傍に備える空冷式のモータ冷却装置１ｂが発揮するモータ冷却機能を妨げることなく、水封式真空ポンプ１が発揮する空気吸引機能を確保する役割を果たすものである。
【００２５】
（３）貯留水循環手段３
貯留水循環手段３は、図１及び図２に示すように、ノッチタンク２に貯留される貯留水８１をノッチタンク２とケーシングの間で順送りに循環させることが可能であるものとして構成されている。
【００２６】
すなわち、この貯留水循環手段３によれば、貯留水８１がノッチタンク２とケーシングの間で順送りに循環することでケーシング内の封水が一定の温度以下に維持されることとなり、これにより、水封式真空ポンプ１の近傍に備える空冷式のモータ冷却装置１ｂが発揮するモータ冷却機能を妨げないこととなっている。
【００２７】
具体的には、この貯留水循環手段３は、これらの図に示すように、ノッチタンク２に貯留される貯留水８１をケーシング内に供給するための管路である供給管３１と、ケーシング内に供給され封水として用いた水をノッチタンク２に吐き出すための管路である吐出管３２を含むものとして構成されている。
【００２８】
ここで、吐出管３２は、後記する円筒体４に対して吐出管３２から吐き出される水が円筒体４の内表面に沿って旋回することとなる方向に接続されている。換言すれば、円筒体４の内部に貯留水８１を取り込む方向が円筒体４における円の接線方向に規制されることとなっている。
その結果、吐出管３２から吐き出され、円筒体４の内部に取り込まれた水が円筒体４の側壁部４１の内表面に沿って旋回することとなっている。
【００２９】
具体的には、吐出管３２は、同図に示すように、円筒体４の内部空間における円の接線方向に沿って固定される取込管３２ａを介して円筒体４に接続されている。
【００３０】
すなわち、取込管３２ａは、同図に示すように、円筒体４に対して旋回流が形成するはずの螺旋形状に沿う方向を狙って固定されるものとして構成されており、吐出管３２から吐き出される水を円筒体４の内部にその円の接線方向に沿って取り込む役割を果たす。
【００３１】
（４）円筒体４
円筒体４は、図１及び図２に示すように、吐出管３２から吐き出される水を取り込むとともに取り込んだ水をノッチタンク２に貯留される貯留水８１の水面に落下させる機能を果たすものとして構成されている。
【００３２】
そして、この円筒体４に対しては、図２（ｂ）に示すように、吐出管３２を水が円筒体４の内表面に沿って旋回することとなる方向に接続している。
【００３３】
すなわち、この円筒体４によれば、吐出管３２を水が円筒体４の内表面に沿って旋回することとなる方向に接続することにより、吐出管３２から円筒体４の内部に取り込まれた水は、円筒体４の側壁部４１の内表面に沿って螺旋形状を呈しながら旋回することとなり、そのままノッチタンク２における水面に落下することとなっている。
【００３４】
つまり、このような円筒体４及び吐出管３２によれば、吐出管３２から円筒体４の内部に取り込まれ貯留水８１の水面に吐き出される水は、単にノッチタンク２に貯留される貯留水８１の水面に落下するのみならず、貯留水８１の水面に対して垂直方向にではなく斜め方向に吐き出されることとなり、これにより、貯留水８１の水面に封水として用いた水が吐き出されることにより生じる音のうちのかなりの割合が消失することとなっている。
【００３５】
具体的には、この円筒体４としては、同図に示すように、内部空間がほぼ円筒形状を呈するものとして構成されている。
【００３６】
もちろん、この円筒体４としては、内部空間がほぼ円筒形状を呈するものに限られるものではなく、所定の方向に接続した吐出管３２を通じて取り込まれた水が円筒体４の内表面に沿って旋回することとなるものであれば、内部空間の形状の別や内表面の形状の別を問わず、例えば内部空間が、六角形筒形状など、多角形筒形状を呈するものや、球に近いような形状を呈するものであっても差し支えない。
【００３７】
ここで、円筒体４は、貯留水８１の中に一部が挿入された状態として設けられるものとして構成されている。
これにより、ノッチタンク２に貯留される貯留水８１によっても、貯留水８１の水面に封水として用いた水が吐き出されることにより生じる音が円筒体４の内部から下方に透過することなく遮断されることとなり、その結果、かかる音はほぼ完全に円筒体４の内部に封じ込められることとなっている。
【００３８】
もちろん、この円筒体４としては、貯留水８１の中に一部が挿入された状態として設けられるものに限られるものではなく、吐出管３２から取り込んだ水を貯留水８１の水面に対して斜め方向に吐き出し得るものであれば、どのような部位に設けられるものであっても差し支えない。すなわち、この円筒体４として、例えば貯留水８１の水面に近接して設けられるものなども用いることができる。
【００３９】
また、円筒体４は、図２（ａ）に示すように、貯留水８１側にのみ開口を有し、かつ、吐出管３２から取り込んだ水が貯留水８１の水面に落下するときに生じる音を遮断する機能を果たす遮音性材料からなるものとして構成されている。
【００４０】
これにより、円筒体４に十分な遮音機能が付加されることとなり、その結果、吐出管３２から吐き出される水が貯留水８１の水面に落下するときに生じる音がより完全に消失することとなっている。
【００４１】
具体的には、この円筒体４は、同図に示すように、、側壁部４１と頂部４２とからなっており、上下方向に設けられるものとして構成されている。
【００４２】
すなわち、円筒体４及び吐出管３２の働きによって貯留水８１の水面に封水として用いた水が吐き出されることにより生じる音の殆どは消失することとなるが、そのような音を完全に消失させることは事実上不可能であるところ、このような側壁部４１及び頂部４２を備えている円筒体４によれば、消失しきれない音もが円筒体４の内部から側方及び上方に透過することなく遮断されることとなり、これにより、より完全に貯留水８１の水面に封水として用いた水が吐き出されることにより生じる音が消失することとなっている。
【００４３】
さらに、円筒体４は、同図に示すように、落下する水に含まれるエアーを抜くエアー抜き孔４２ａが開設されるものとして構成されている。
【００４４】
これにより、吐出管３２から吐き出される水がエアーを含まない状態として貯留水８１の水面に落下することとなり、その結果、吐出管３２から吐き出される水が貯留水８１の水面に落下するときに生じる音がより一層完全に消失することとなっている。
【００４５】
すなわち、水封式真空ポンプ１から吐き出される水には多量のエアーを含むという特質によって吐き出される水により生じる音が騒音化することとなっているが、このようなエアー抜き孔４２ａが開設された円筒体４によれば、吐出管３２から吐き出される水が円筒体４の側壁部４１の内表面に沿って旋回しながら流下していく過程において、吐出管３２から吐き出される水からこれに含まれるエアーが円滑かつ十分に分離され、吐出管３２から吐き出される水はエアーを余り含まない状態としてノッチタンク２に貯留される貯留水８１の水面に落下することとなり、これにより、貯留水８１の水面に封水として用いた水が吐き出されることにより生じる音のうちのかなりの割合が消失することとなっている。
【００４６】
なお、エアー抜き孔４２ａは、音の消失効果が減殺されない程度の大きさに開設されている。
【００４７】
さらにまた、円筒体４は、図示しないが、円筒体４の内表面に円筒体４内で旋回する水の流れに沿う螺旋状の鍔部を有している。
【００４８】
これにより、吐出管３２から吐き出される水が円筒体４の内表面に沿って旋回しないこととなる事態が確実に回避されることとなり、その結果、吐出管３２から吐き出される水が貯留水８１の水面に落下するときに生じる音がより一層完全に消失することとなっている。
【００４９】
次に、図１及び図２を参照にしながら、この実施の形態１に係るポンプ装置の作用について、説明する。
【００５０】
水がノッチタンク２及び水封式真空ポンプ１の有するケーシングの間において循環している。
【００５１】
すなわち、吐出管３２から吐き出される水が吐出管３２を通じてノッチタンク２に吐き出され、ノッチタンク２において所定の温度に冷却された貯留水８１が供給管３１を通じて水封式真空ポンプ１に連続的に供給されている。
【００５２】
水封式真空ポンプ１から吐き出された水が吐出管３２及び取込管３２ａを通じて円筒体４の内部に取り込まれると、取り込まれた水の流れは旋回流となり螺旋形状を呈しながら旋回する。
【００５３】
すなわち、取込管３２ａの働きによって、吐出管３２から円筒体４の内部に取り込まれた水は、円筒体４の側壁部４１の内表面に沿って螺旋形状を呈しながら旋回する旋回流となり、そのままノッチタンク２における水面に落下することとなる。
【００５４】
このとき、円筒体４の内部に取り込まれた水は、単にノッチタンク２に貯留される貯留水８１の水面に落下するのみならず、貯留水８１の水面に対して垂直方向にではなく斜め方向に吐き出されることとなり、貯留水８１を跳ねさせないこととなっている。
【００５５】
その結果、貯留水８１の水面に封水として用いた水が吐き出されることにより生じる音のうちのかなりの割合が消失することとなる。
【００５６】
なお、この実施の形態１においては、図２（ｂ）に示すように、円筒体４としての円筒体４の内部空間がほぼ円筒形状を有しているので、予想に反して吐出管３２から吐き出される水が円筒体４の内表面に沿って旋回しないこととなる事態が有効に回避されることとなっている。
【００５７】
また、取り込まれた水が螺旋形状を呈しながら流下していく過程において、エアー抜き孔４２ａの働きによって、落下する水からこれに含まれるエアーが円滑かつ十分に分離されることとなり、吐出管３２から吐き出される水はエアーを余り含まない状態として貯留水８１の水面に落下する。
【００５８】
その結果、貯留水８１の水面に封水として用いた水が吐き出されることにより生じる音のうちのかなりの割合が消失することとなる。
【００５９】
一方、取込管３２ａ及びエアー抜き孔４２ａの働きによって消失しきれなかった音は、円筒体４の側壁部４１及び頂部４２並びにノッチタンク２に貯留される貯留水８１が十分な遮音性能を発揮することにより、円筒体４の内部から側方及び上方並びに下方への透過が遮断されることとなり、これにより、ほぼ完全に水により生じる音が消失する。
【００６０】
すなわち、このようなポンプ装置によれば、円筒体４及び取込管３２ａの働きによって、取込管３２ａを通じて円筒体４内に取り込まれた水は円筒体４の内表面に沿って旋回する旋回流となり、さらには貯留水８１の水面に対して斜め方向に吐き出されることとなり、一方、エアー抜き孔４２ａの働きによって、落下する水に含まれるエアーが円滑かつ十分に分離されることとなり、他方、円筒体４の側壁部４１及び頂部４２並びにノッチタンク２に貯留される貯留水８１の働きによって、円筒体４の内部から側方及び上方並びに下方への音の透過が遮断されることとなり、これらが重畳的に働く結果として、貯留水８１の水面に封水として用いた水が吐き出されることにより生じる音が十分に消失することとなる。
【００６１】
なお、このようなポンプ装置によれば、図１及び図２に示すように、ノッチタンク２におけるふたが不要であるものとして構成されており、ふたにより放熱効果が損なわれる事態を招くことがないので、モータ冷却装置１ｂの発揮するモータ冷却機能を妨げないこととなる。
【００６２】
◎実施の形態２
図２は本発明の実施の形態２に係るポンプ装置が適用されたウェルポイント工法の施工状況を示す断面図、図３は同ポンプ装置の全体構成を示す図（図２（ａ）は断面図、図２（ｂ）は平面図）である。
【００６３】
なお、実施の形態１と同様な構成要素については実施の形態１と同様な符号を付してここではその詳細な説明を省略する
なお、これらの図において、符号９１は、後記する楕円筒型水槽における貯留水を示している。
【００６４】
この実施の形態２において、ポンプ装置は、図３に示すように、実施の形態２に係るポンプ装置と同様、ウェルポイント工法において、地盤中の地下水を排出することにより地盤における地下水位を低下させる目的に用いられる。
【００６５】
そして、このポンプ装置は、図３及び図４に示すように、水封式真空ポンプ１を備える点で、実施の形態１と同様であるが、実施の形態１の水槽に替えて楕円筒型水槽５を備え、実施の形態１の貯留水循環手段３に替えて貯留水循環手段６を備えており、加えて、実施の形態１にある容器としての円筒体４を備えておらず、実施の形態１にない水量維持手段７を備えるものとして構成されている。
【００６６】
以下、実施の形態１と異なる各構成要素である楕円筒型水槽５、貯留水循環手段６及び水量維持手段７についてさらに詳細に説明する。
【００６７】
（１）楕円筒型水槽５
楕円筒型水槽５は、図３及び図４に示すように、水封式真空ポンプ１の近傍に設けられるものであり、水封式真空ポンプ１に封水を供給するための水を貯留し一定の温度以下に冷却する機能を果たすものとして構成されている。
【００６８】
すなわち、この楕円筒型水槽５によれば、後記する貯留水循環手段６を用いることにより、貯留水９１が一定の温度以下に冷却されながら楕円筒型水槽５とケーシングの間で循環することとなっている。
【００６９】
そして、楕円筒型水槽５は、これらの図に示すように、吐出管６２から吐き出される水を取り込むとともに取り込んだ水を貯留水９１の水面に落下させる機能を果たすものとして構成されている。
【００７０】
そして、この楕円筒型水槽５に対しては、図４（ｂ）に示すように、後記する吐出管６２を水が楕円筒型水槽５の内表面に沿って旋回することとなる方向に接続している。
【００７１】
すなわち、この楕円筒型水槽５によれば、吐出管６２を水が楕円筒型水槽５の内表面に沿って旋回することとなる方向に接続することにより、吐出管６２から吐き出され楕円筒型水槽５に取り込まれた水は、楕円筒型水槽５の側壁部５２の内表面に沿って螺旋形状を呈しながら旋回することとなり、そのまま貯留水９１の水面に落下することとなっている。
【００７２】
つまり、このような楕円筒型水槽５及び吐出管６２によれば、楕円筒型水槽５の内部に取り込まれた水は、単に貯留水９１の水面に落下するのみならず、貯留水９１の水面に対して垂直方向にではなく斜め方向に吐き出されることとなり、これにより、貯留水９１の水面に封水として用いた水が吐き出されることにより生じる音のうちのかなりの割合が消失することとなっている。
【００７３】
具体的には、この楕円筒型水槽５としては、図４（ｂ）に示すように、内部空間がほぼ楕円筒形状を呈するものとして構成されている。
【００７４】
もちろん、この楕円筒型水槽５としては、内部空間がほぼ楕円筒形状を呈するものに限られるものではなく、所定の方向に接続した吐出管６２を通じて取り込まれた水が楕円筒型水槽５の内表面に沿って旋回し得るものであれば、内部空間の形状の別や内表面の形状の別を問わず、例えば内部空間が、六角形筒形状など、多角形筒形状を呈するものや、球に近いような形状を呈するものであっても差し支えない。
【００７５】
ここで、楕円筒型水槽５は、開口を有さず、かつ、取り込んだ吐出管６２から吐き出される水が貯留水９１の水面に落下するときに生じる音を遮断する機能を果たす遮音性材料からなるものとして構成されている。
【００７６】
これにより、楕円筒型水槽５それ自体に十分な遮音機能が付加されることとなり、その結果、吐出管６２から吐き出される水を貯留水９１の水面に落下するときに生じる音がより完全に消失することとなっている。
【００７７】
具体的には、この楕円筒型水槽５は、図３及び図４に示すように、底部５１と側壁部５２と頂部５３とからなるものとして構成されている。
【００７８】
すなわち、楕円筒型水槽５及び吐出管６２並びに後記するエアー抜き孔５３ａの働きによって貯留水９１の水面に封水として用いた水が吐き出されることにより生じる音の殆どは消失することとなるが、そのような音を完全に消失させることは事実上不可能であるところ、このような頂部５３を備えている楕円筒型水槽５によれば、消失しきれない音もが楕円筒型水槽５の内部から下方、側方及び上方に透過することなく遮断されることとなり、これにより、より完全に貯留水９１の水面に封水として用いた水が吐き出されることにより生じる音が消失することとなっている。
【００７９】
また、楕円筒型水槽５は、これらの図に示すように、落下していく水に含まれるエアーを抜くためのエアー抜き孔５３ａが開設されるものとして構成されている。
【００８０】
これにより、吐出管６２から吐き出される水がエアーを含まない状態として貯留水９１の水面に落下することとなり、その結果、吐出管６２から吐き出される水を貯留水９１の水面に落下するときに生じる音がより一層完全に消失することとなっている。
【００８１】
すなわち、水封式真空ポンプ１から吐き出される水には多量のエアーを含むという特質に起因して、楕円筒型水槽５から吐き出される水により生じる音が騒音化することとなっているが、このようなエアー抜き孔５３ａが開設された楕円筒型水槽５によれば、吐出管６２から吐き出される水が楕円筒型水槽５の側壁部５２の内表面に沿って旋回しながら流下していく過程において、吐出管６２から吐き出される水からこれに含まれるエアーが円滑かつ十分に分離され、吐出管６２から吐き出される水はエアーを余り含まない状態として貯留水９１の水面に対して吐き出されることとなり、これにより、貯留水９１の水面に封水として用いた水が吐き出されることにより生じる音のうちのかなりの割合が消失することとなっている。
【００８２】
なお、エアー抜き孔５３ａは、一方では、音の消失効果が減殺されない程度の大きさに開設されており、他方では、放熱による水の冷却効果を損なわない程度の大きさに開設されている。
【００８３】
さらに、楕円筒型水槽５は、図示しないが、楕円筒型水槽５の内表面に楕円筒型水槽５内で旋回する水の流れに沿う螺旋状の鍔部を有している。
【００８４】
これにより、吐出管６２から吐き出される水が楕円筒型水槽５の内表面に沿って旋回しないこととなる事態が確実に回避されることとなり、その結果、吐出管６２から吐き出される水が貯留水９１の水面に落下するときに生じる音がより一層完全に消失することとなっている。
【００８５】
（３）貯留水循環手段６
貯留水循環手段６は、図３及び図４に示すように、楕円筒型水槽５に貯留される貯留水９１を楕円筒型水槽５とケーシングの間で順送りに循環させることが可能であるものとして構成されている。
【００８６】
すなわち、この貯留水循環手段６によれば、ケーシング内の封水が一定の温度以下に維持されることとなり、これにより、水封式真空ポンプ１の近傍に備える空冷式のモータ冷却装置１ｂが発揮するモータ冷却機能を妨げないこととなっている。
【００８７】
具体的には、この貯留水循環手段６は、これらの図に示すように、楕円筒型水槽５に貯留される貯留水９１をケーシング内に供給するための管路である供給管６１と、ケーシング内に供給される水を楕円筒型水槽５に吐き出すための管路である吐出管６２を含むものとして構成されている。
【００８８】
ここで、吐出管６２は、図４（ｂ）に示すように、楕円筒型水槽５に対して吐出管６２から吐き出される水が楕円筒型水槽５の内表面に沿って旋回することとなる方向に接続されている。換言すれば、楕円筒型水槽５の内部に貯留水９１を取り込む方向が楕円筒型水槽５における楕円の接線方向に規制されることとなっている。
その結果、楕円筒型水槽５の内部に取り込んだ水が楕円筒型水槽５の側壁部５２の内表面に沿って旋回することとなっている。
【００８９】
具体的には、吐出管６２は、図３及び図４に示すように、楕円筒型水槽５の内部空間における楕円の接線方向に沿って固定される取込管６２ａを介して楕円筒型水槽５に接続されている。
【００９０】
すなわち、取込管６２ａは、同図に示すように、楕円筒型水槽５に対して旋回流が形成するはずの螺旋形状に沿う方向を狙って固定されるものとして構成されており、吐出管６２から吐き出される水を楕円筒型水槽５の内部にその楕円の接線方向に沿って取り込む役割を果たす。
【００９１】
（３）水量維持手段７
水量維持手段７は、楕円筒型水槽５に貯留される貯留水９１全体の水量を一定に維持する機能を果たすものとして構成されている。
【００９２】
すなわち、このような水量維持手段７によれば、楕円筒型水槽５に貯留される貯留水９１全体の水量が一定に維持されることとなり、これにより、この実施の形態２に係るポンプ装置の円滑な運転状態が得られることとなっている。
【００９３】
具体的には、この水量維持手段７は、図３及び図４に示すように、楕円筒型水槽５に貯留される貯留水９１の水位の自動的に検知するフロート７１と、検知した貯留水９１の水位に基づく不足する水を自動的に補完する不足水自動補完装置としての自動給水装置７２と、余分な水を排出する余水排出管７３とからなっている。
【００９４】
次に、図３及び図４を参照にしながら、この実施の形態２に係るポンプ装置の作用について、説明する。
【００９５】
水が楕円筒型水槽５及び水封式真空ポンプ１の有するケーシングの間において循環している。
【００９６】
すなわち、ケーシングから吐き出された水が吐出管６２を通じて楕円筒型水槽５に吐き出され、楕円筒型水槽５において所定の温度に冷却された貯留水９１が供給管６１を通じて水封式真空ポンプ１に連続的に供給されている。
【００９７】
水封式真空ポンプ１から吐き出された吐出管６２から吐き出される水が取込管６２ａを通じて楕円筒型水槽５の内部に取り込まれると、取り込まれた吐出管６２から吐き出される水の流れは旋回流となり螺旋形状を呈しながら旋回する。
【００９８】
すなわち、取込管６２ａの働きによって、吐出管６２から吐き出され楕円筒型水槽５の内部に取り込まれた水は、楕円筒型水槽５の側壁部５２の内表面に沿って螺旋形状を呈しながら旋回する旋回流となり、そのまま楕円筒型水槽５に貯留される貯留水９１の水面に落下することとなる。
【００９９】
このとき、楕円筒型水槽５の内部に取り込まれた水は、単に楕円筒型水槽５に貯留される貯留水９１の水面に吐き出されるのみならず、貯留水９１の水面に対して垂直方向にではなく斜め方向に吐き出されることとなり、貯留水９１を跳ねさせないこととなっている。
【０１００】
その結果、貯留水９１の水面に封水として用いた水が吐き出されることにより生じる音のうちのかなりの割合が消失することとなる。
【０１０１】
なお、この実施の形態２においては、楕円筒型水槽５の内部空間が楕円筒形状を有しているので、予想に反して吐出管６２から吐き出される水が容器内で旋回しないこととなる事態が有効に回避されることとなっている。
【０１０２】
また、楕円筒型水槽５の内部に取り込まれた水が螺旋形状を呈しながら流下していく過程において、エアー抜き孔５３ａの働きによって、落下していく水からこれに含まれるエアーが円滑かつ十分に分離されることとなり、水はエアーを余り含まない状態として貯留水９１の水面に対して吐き出される。
【０１０３】
その結果、貯留水９１の水面に封水として用いた水が吐き出されることにより生じる音のうちのかなりの割合が消失することとなる。
【０１０４】
一方、取込管６２ａ及びエアー抜き孔５３ａの働きによって消失しきれなかった音は、楕円筒型水槽５の底部５１、側壁部５２及び頂部５３が十分な遮音性能を発揮することにより、楕円筒型水槽５の内部から下方、側方及び上方への透過が遮断されることとなり、これにより、ほぼ完全に貯留水９１の水面に封水として用いた水が吐き出されることにより生じる音が消失する。
【０１０５】
すなわち、このようなポンプ装置によれば、楕円筒型水槽５及び取込管６２ａの働きによって、取込管６２ａを通じて楕円筒型水槽５内に取り込まれた水は楕円筒型水槽５の内表面に沿って旋回する旋回流となり、さらには貯留水９１の水面に対して斜め方向に吐き出されることとなり、加えて、エアー抜き孔５３ａの働きによって、吐出管６２から吐き出される水からこれに含まれるエアーが円滑かつ十分に分離されることとなり、加えて、楕円筒型水槽５の底部５１、側壁部５２及び頂部５３の働きによって、楕円筒型水槽５の内部から下方、側方及び上方への音の透過が遮断されることとなり、これらが重畳的に働く結果として、貯留水９１の水面に封水として用いた水が吐き出されることにより生じる音が十分に消失することとなる。
【０１０６】
【発明の効果】
本発明に係るポンプ装置によれば、水が吐出管から貯留水の水面に落下するときに生じる音を十分に消失でき、市街地や学校・病院の近くでも確実に適用できることとなる。
【図面の簡単な説明】
【図１】本発明の実施の形態１に係るポンプ装置が適用されたウェルポイント工法の施工状況を示す断面図である。
【図２】本発明の実施の形態１に係るポンプ装置の全体構成を示す図（図２（ａ）は断面図、図２（ｂ）は平面図）である。
【図３】本発明の実施の形態２に係るポンプ装置が適用されたウェルポイント工法の施工状況を示す断面図である。
【図４】本発明の実施の形態２に係るポンプ装置の全体構成を示す図（図４（ａ）は断面図、図４（ｂ）は平面図）である。
【符号の説明】
１  水封式真空ポンプ
１ａ  吸気管
１ｂ  モータ冷却装置
２  ノッチタンク
３  貯留水循環手段
４  円筒体
５  楕円筒型水槽
６  貯留水循環手段
７  水量維持手段
３１  供給管
３２  吐出管
３２ａ  取込管
４１  側壁部
４２  頂部
４２ａ  エアー抜き孔
５１  底部
５２  側壁部
５３  頂部
５３ａ  エアー抜き孔
６１  供給管
６２  吐出管
６２ａ  取込管
７１  フロート
７２  自動給水装置
７３  余水排出管
８１  貯留水
９１  貯留水
１０１  セパレートタンク
１０２  吸込管
１０３  渦巻きポンプ
１０４  排水管
【図１】
2004183566.tif 000003
【図２】
2004183566.tif 000004
【図３】
2004183566.tif 000005
【図４】
2004183566.tif 000006